(57)【要約】      （修正有）【課題】次世代ユニバーサル移動体通信システム地上波無線アクセスネットワーク（Ｅ−ＵＴＲＡＮ）をサポートする方法およびシステムを提供する。【解決手段】システムには、無線送受信ユニット（ＷＴＲＵ）、ＵＴＲＡＮ、およびＥ−ＵＴＲＡＮが含まれる。ＵＴＲＡＮはＷＴＲＵに対し、ＵＴＲＡＮのカバレッジエリア内で利用可能なＥ−ＵＴＲＡＮを含む無線アクセス技術に関するリストを送信する。ＷＴＲＵは受信したリストに基づき、Ｅ−ＵＴＲＮケイパビリティを含むマルチモード／マルチＲＡＴケイパビリティ情報をＵＴＲＡＮに送信する。ＵＴＲＡＮは次いでＥ−ＵＴＲＡＮチャネル上で測定を実施するためのパラメータを含む測定ケイパビリティメッセージをＷＴＲＵに送信する。ＷＴＲＵは測定ケイパビリティメッセージに基づいて測定を実施し、測定結果をＵＴＲＡＮに報告する。ＵＴＲＡＮは測定結果に基づいてＥ−ＵＴＲＡＮへのハンドオフを開始する。【選択図】図３
2012044664.tif 000002
【特許請求の範囲】
【請求項１】
無線送受信ユニット（ＷＴＲＵ）における使用のための方法であって、
次世代ユニバーサル移動体通信システム（ＵＭＴＳ）地上波無線アクセスネットワーク（Ｅ−ＵＴＲＡＮ）ケイパビリティ情報を示すメッセージを生成するステップであって、前記ケイパビリティ情報は、Ｅ−ＵＴＲＡＮのハンドオーバへの直交周波数分割多重（ＯＦＤＭ）モードのサポート、および、ＵＭＴＳ地上波無線アクセスネットワーク（ＵＴＲＡＮ）のサポートの指示を含む、ステップと、
ＵＴＲＡＮチャネル上で前記メッセージをＵＴＲＡＮ基地局へ送信するステップと、
前記メッセージに基づいて、Ｅ−ＵＴＲＡＮサービスを受信するステップと
を備えることを特徴とする方法。
【請求項２】
前記メッセージは、サポートされるＥ−ＵＴＲＡＮの周波数帯を示していることを特徴とする請求項１に記載の方法。
【請求項３】
前記メッセージは、マルチモード／マルチ無線アクセス技術（ＲＡＴ）ケイパビリティメッセージ、無線アクセスケイパビリティメッセージ、または、無線アクセスケイパビリティ拡張メッセージのいずれか１つであることを特徴とする請求項１に記載の方法。
【請求項４】
無線送受信ユニット（ＷＴＲＵ）であって、
次世代ユニバーサル移動体通信システム（ＵＭＴＳ）地上波無線アクセスネットワーク（Ｅ−ＵＴＲＡＮ）ケイパビリティ情報を示すメッセージを生成するように構成されているプロセッサであって、前記ケイパビリティ情報は、Ｅ−ＵＴＲＡＮのハンドオーバへの直交周波数分割多重（ＯＦＤＭ）モードのサポート、および、ＵＭＴＳ地上波無線アクセスネットワーク（ＵＴＲＡＮ）のサポートの指示を含む、プロセッサと、
ＵＴＲＡＮチャネル上で前記メッセージを送信するように構成されている送信機と、
前記メッセージに基づいて、Ｅ−ＵＴＲＡＮサービスを受信するように構成されている受信機と
を備えたことを特徴とするＷＴＲＵ。
【請求項５】
前記プロセッサは、前記メッセージ中に、サポートされるＥ−ＵＴＲＡＮの周波数帯を指示するように構成されていることを特徴とする請求項４に記載のＷＴＲＵ。
【請求項６】
前記メッセージは、マルチモード／マルチ無線アクセス技術（ＲＡＴ）ケイパビリティメッセージ、無線アクセスケイパビリティメッセージ、または、無線アクセスケイパビリティ拡張メッセージのいずれか１つであることを特徴とする請求項４に記載のＷＴＲＵ。
【発明の詳細な説明】
【背景技術】
【０００１】
本発明は無線通信システムに関する。より詳細には、本発明は次世代ユニバーサル移動体通信システム（ＵＭＴＳ：universal mobile telecommunication systems）地上波無線アクセスネットワーク（Ｅ−ＵＴＲＡＮ：evolved UMTS terrestrial radio access network）をサポートする方法およびシステムに関する。
【０００２】
様々な種類のサービスと機能を与えるために、様々な種類の無線アクセスシステムが開発されてきた。無線アクセスシステムの例には、（ＩＥＥＥ８０２ベースのネットワークのような）無線ローカルエリアネットワーク（ＷＬＡＮ：wireless local area network）、（ＵＭＴＳ地上波無線アクセスネットワーク（ＵＴＲＡＮ）、移動体通信（ＧＳＭ：global system for mobile communication）／次世代ＧＳＭ拡張データ速度（ＥＤＧＥ：enhanced data rate for GSM evolution）無線アクセスネットワーク（ＧＥＲＡＮ）等のような）セルラネットワークが含まれる。これらネットワークのそれぞれは、特定のアプリケーションを与えるように開発およびカスタマイズされてきた。
【０００３】
無線システムのキャパシティ改善および性能向上のためにＥ−ＵＴＲＡＮ（ＵＴＲＡＮおよび次世代ノードＢ（Ｅ−Ｎｏｄｅ−Ｂ：evolved Node-B）の長期発展）に対する提案がなされてきた。Ｅ−ＵＴＲＡＮは既存の無線通信システムに対し大幅な利点を与え、Ｅ−ＵＴＲＡＮが与える高ビット速度と低遅延により更なるサービスが利用可能になるであろう。図１は、Ｅ−ＵＴＲＡＮ１１４を含む従来の統合無線通信システム１００を示す。システム１００にはアクセスシステム層１１０、ネットワーク層１２０、およびマルチメディア層１３０が含まれる。アクセスシステム層１１０には複数の無線アクセスネットワーク（ＲＡＮ：radio access network）１１１−１１５、コアネットワーク（ＣＮ：core network）１１６および次世代ＣＮ１１７が含まれる。ＲＡＮ１１１−１１５には汎用アクセスネットワーク（ＧＡＮ：generic access network）１１１、ＧＥＲＡＮ１１２、ＵＴＲＡＮ１１３、Ｅ−ＵＴＲＡＮ１１４、およびインターワーキング無線ローカルエリアネットワーク（Ｉ−ＷＬＡＮ：interworking wireless local area network）１１５が含まれる。ＲＡＮ１１１−１１５はＣＮ１１６または次世代ＣＮ１１７に接続されて、ゲートウェイ汎用パケット無線サービス（ＧＰＲＳ：general packet radio service）サポートノード（ＧＧＳＮ：gateway GPRS support node）１１８またはパケットデータゲートウェイ（ＰＤＧ：packet data gateway）１１９を介して、認証、許可および課金（ＡＡＡ：authentication, authorization and accounting）サーバ１２１、移動ＩＰ（ＭＩＰ：mobile IP）サーバ１２２、またはネットワーク層１２０内の他のネットワークエンティティと情報のやり取りをしつつ、（インターネットプロトコル（ＩＰ）マルチメディアサブシステム（ＩＭＳ：IP multimedia subsystem）１３１からのマルチメディアサービスのような）サービスを、１つまたは複数のＷＴＲＵに提供する。
【発明の概要】
【発明が解決しようとする課題】
【０００４】
現在は、マルチ無線通信システムをサポートするよう構成したマルチモード無線送受信ユニット（ＷＴＲＵ：wireless transmit/receive unit）が利用可能である。ＷＴＲＵのそれぞれの機能は変わる可能性がある。例えば、一部のＷＴＲＵはＵＭＴＳのみをサポートし、他のＷＴＲＵは、Ｉ−ＷＬＡＮ、ＧＥＲＡＮ、および／またはＥ−ＵＴＲＡＮのようなマルチモード動作をサポートする可能性がある。Ｅ−ＵＴＲＡＮをサポート可能なＷＴＲＵも将来利用可能になるであろう。
【０００５】
したがって、ＷＴＲＵがそのような追加的なＥ−ＵＴＲＡＮケイパビリティ（capability、機能）とサービスとを受信して利用することができるように、Ｅ−ＵＴＲＡＮをサポートする方法およびシステムを提供することが望ましい。
【課題を解決するための手段】
【０００６】
本発明は、Ｅ−ＵＴＲＡＮをサポートする方法およびシステムに関する。本発明はＵＴＭＳベースの無線通信システム（即ち、ＵＴＲＡＮ）内部のマルチモード動作をサポートする従来の方法および手続きを拡張して、新規技術（即ち、Ｅ−ＵＴＲＡＮ）をシステムに追加することを支援する。従来の手続きは第３世代パートナーシッププロジェクト（３ＧＰＰ）の標準（例えば、ＴＳ２５．３３１）に明記されている。システムは、本明細書ではＷＴＲＵ、ＵＴＲＡＮ、およびＥ−ＵＴＲＡＮを含む。従来のＵＴＲＡＮは、ＵＴＲＡＮのカバレッジエリア内で利用可能な無線アクセス技術（ＲＡＴ：radio access technology）のリストをＷＴＲＵに送信する。リストには、技術の種別、ビット速度、帯域幅等のような既存のＲＡＴ属性に関する情報が含まれる。本発明はＥ−ＵＴＲＡＮに関する情報を本リストに導入する。ＷＴＲＵは、初期アクセス中またはハンドオフ手続き中に本リストを受信する。リストを受信すると、Ｅ−ＵＴＲＡＮ可能なＷＴＲＵは、このＷＴＲＵを構成／再構成して、ハンドオフ手続きまたはシステム再選択手続きを通して、本リストに基づいてＥ−ＵＴＲＡＮサービスを受信する。Ｅ−ＵＴＲＡＮ可能なＷＴＲＵは、Ｅ−ＵＴＲＡＮケイパビリティを含むそのマルチモード／マルチＲＡＴケイパビリティ情報を、初期アクセス（即ち、アタッチ手続き）中またはシステムによる要求時に、ＵＴＲＡＮに送信することができる。通常のハンドオフ手続き中に、ＵＴＲＡＮは測定ケイパビリティメッセージをＷＴＲＵに送信する。測定ケイパビリティメッセージには、Ｅ−ＵＴＲＡＮチャネル上で測定を実施するための必要なパラメータが含まれる。ＷＴＲＵは測定ケイパビリティメッセージに基づいて測定を実施し、測定結果をＵＴＲＡＮに報告する。ＵＴＲＡＮは測定結果に基づいてＥ−ＵＴＲＡＮへのハンドオフを開始することができる。アイドル動作中に、ＷＴＲＵは以前にＵＴＲＡＮから受信したケイパビリティ情報に基づいて、Ｅ−ＵＴＲＡＮへ再選択することを決定することができる。ＷＴＲＵは本情報を使用して送信機および受信機の帯域幅、ビット速度、周波数帯等を構成する。
【０００７】
一例として与えられ、添付する図面と関連して理解される以下の好適な実施態様の説明から、本発明をより詳細に理解することができる。
【図面の簡単な説明】
【０００８】
【図１】従来の無線通信システムの図である。
【図２】本発明に従って構成した無線通信システムである。
【図３】本発明に従ってＥ−ＵＴＲＡＮをサポートするプロセスのフロー図である。
【発明を実施するための形態】
【０００９】
以降で引用するとき、用語「ＷＴＲＵ」はユーザ装置、移動局、固定または移動加入者装置、ページャ、または無線環境で動作可能な任意の他の種類の装置を含むがこれらに限らない。
【００１０】
本発明の特徴を集積回路（ＩＣ）に組み込むか、または多数の相互接続コンポーネントを備える回路内で構成することができる。
【００１１】
図２は本発明に従って構成した無線通信システム２００を示す。システム２００には様々なＲＡＴ下で配置した複数のＲＡＮ２１０ａ、２１０ｂ、および全インターネットプロトコル（ＩＰ）ネットワーク（ＡＩＰＮ：all IP network）でありうるコアネットワーク２２０が含まれる。コアネットワーク２２０を、公衆回線電話ネットワーク（ＰＳＴＮ:public switching telephone network）２３０、インターネット２４０、等のような他のネットワークに接続する。ＲＡＮ２１０ａ、２１０ｂの各々はＧＡＮ、ＧＥＲＡＮ、ＵＴＲＡＮ、Ｅ−ＵＴＲＡＮ、ＩＥＥＥベースのＩ−ＷＬＡＮ、または任意の種類の無線アクセスネットワークであることができる。
【００１２】
様々なＲＡＮ２１０ａ、２１０ｂ間での移動性を最適化するために、コアネットワーク２２０は移動管理（ＭＭ）２２２用の公開インタフェースを与える。この公開インタフェースにより、コアネットワーク２２０のオペレータはＷＴＲＵ２５０を最適なＲＡＮ２１０ａ、２１０ｂに向けることができる。コアネットワーク２２０は、ＷＴＲＵ２５０がセッション制御（ＳＣ：session control）２２４、認証、許可および課金（ＡＡＡ）２２６ならびにポリシー制御２２８のような他のＡＩＰＮサービスにアクセス可能とする公開インタフェースも与える。
【００１３】
ＷＴＲＵ２５０は、少なくとも２つの異なるＲＡＴとの通信をサポートするよう構成した少なくとも２つの無線ユニットを具備したマルチモードＷＴＲＵである。例えば、ＷＴＲＵ２５０は、Ｅ−ＵＴＲＡＮと通信する一方の無線ユニットと、Ｉ−ＷＬＡＮと通信する他方の無線ユニットとを含むことができる。ＷＴＲＵ２５０はＲＡＮの１つと接続を確立し、ハンドオフ基準がターゲットＲＡＮにより満たされる場合にターゲットＲＡＮへのハンドオフを実施することができる。
【００１４】
ハンドオフをシステム２００内で手動的または自動的に開始することができる。ＷＴＲＵ２５０のユーザによって開始される手動ハンドオフプロセスでは、ユーザはその現在の地理的位置にある、（Ｅ−ＵＴＲＡＮのような）代替ＲＡＴの存在を知っており、それらの間（例えば、ＵＴＲＡＮとＥ−ＵＴＲＡＮの間）で交換する。自動ハンドオフプロセスは、ＷＴＲＵ２５０によって開始されるか、あるいはＲＡＮ２１０ａ、２１０ｂまたはコアネットワーク２２０によって開始されることができる。
【００１５】
ＷＴＲＵが開始したハンドオフでは、ＷＴＲＵ２５０は、（Ｅ−ＵＴＲＡＮのような）
代替ＲＡＴの存在を検出し、（例えば、Ｅ−ＵＴＲＡＮに対する）ハンドオフプロセスをＷＴＲＵ２５０のユーザの選択に基づいて開始する。ＷＴＲＵ２５０は、（ハンドオフポリシー、リソース状態等のような）必要情報を、ネットワーク（例えば、ＲＡＮ２１０ｂまたはコアネットワーク２２０）から受信する。ＷＴＲＵ２５０は、ＲＡＮ２１０ａ、２１０ｂのカバレッジエリアの位置を追跡し、所定のハンドオフ基準に基づいてハンドオフプロセスを開始する。
【００１６】
システムが開始したハンドオフでは、コアネットワーク２２０（またはＲＡＮ２１０ａ、２１０ｂ）は、ＷＴＲＵ２５０が、（Ｅ−ＵＴＲＡＮを含む）複数のＲＡＴをサポート可能であることを認識し、（電力測定値のような）必要情報をそのＷＴＲＵ２５０から要求する。ＷＴＲＵ２５０がターゲットＲＡＮのカバレッジエリア内部に入ると、コアネットワーク２２０（またはＲＡＮ２１０ａ、２１０ｂ）は、ＷＴＲＵ２５０の位置を追跡して、（ＷＴＲＵ２５０の移動性、要求帯域幅、アプリケーション、負荷分散、加入者のプロフィール、ＷＴＲＵ２５０が与える測定レポート等のような）一連の基準に基づいてハンドオフ手続きを開始する。
【００１７】
図３は、本発明に従ってＥ−ＵＴＲＡＮをサポートするプロセスのフロー図である。ＷＴＲＵ３５２はＵＴＲＡＮ３５４上のチャネル（例えば、ブロードキャスト制御チャネル（ＢＣＣＨ：broadcast control channel））を監視（listen to）する（ステップ３０２）。ＵＴＲＡＮ３５４は、ＵＴＲＡＮ３５４のカバレッジエリア内部で（Ｅ−ＵＴＲＡＮ３５６ＲＡＴのような）利用可能なＲＡＴのリストをＷＴＲＵ３５２に送信する（または指示(indicate)する）（ステップ３０４）。利用可能なＲＡＴのリストを、ＵＴＲＡＮセル情報リストメッセージを介して送信することが望ましい。ただし、このリストを任意の種類のメッセージを介して送信してもよい。ＵＴＲＡＮセル情報リストメッセージは、周波数内セル、周波数間セルおよびＲＡＴ間セル上の情報を含む。従来のＵＴＲＡＮセル情報リストメッセージを修正して、Ｅ−ＵＴＲＡＮ３５６に対する新規の情報要素（ＩＥ：information element）を含める。Ｅ−ＵＴＲＡＮ３５６は、直交周波数分割多重（ＯＦＤＭ：orthogonal frequency division multiplexing）、または任意の他の種類のエアーインタフェースに基づくことができる。ＯＦＤＭの場合、ＵＴＲＡＮセル情報リストはＯＦＤＭ選択および再選択情報、基地局識別コード（ＢＳＩＣ：base transceiver station identity code）、システム固有測定情報等を含むことができる。システム固有測定情報には、サポートされる周波数、帯域幅、送信電力等がある。表１は、本発明に従って新規のＩＥ（太字で示す）を含む例示的なＵＴＲＡＮセル情報リストメッセージを示す。
【００１８】
【表１】
2012044664.tif 000003
【００１９】
【表２】
2012044664.tif 000004
【００２０】
図３を再度参照する。ＷＴＲＵ３５２はリストを受信し、記憶する（ステップ３０６）。事前に設定したユーザの選択に基づいて、ＷＴＲＵ３５２はそのマルチモード／マルチＲＡＴケイパビリティ情報をＵＴＲＡＮ３５４に送信する（ステップ３０８）。マルチモード／マルチＲＡＴケイパビリティ情報は、Ｅ−ＵＴＲＡＮおよび／または他のＲＡＴのサポートを示す。例えば、マルチモード／マルチＲＡＴケイパビリティ情報は、ＯＦＤＭのサポート、Ｅ−ＵＴＲＡＮからＵＴＲＡＮへのハンドオフのサポート、ＯＦＤＭ無線周波数（ＲＦ）ケイパビリティ、ＯＦＤＭ測定ケイパビリティ等を示すことができる。ＯＦＤＭのサポートには、サポートされるＯＦＤＭチャネルの帯域幅（例えば、１．２５ＭＨｚ、２．５ＭＨｚ、５ＭＨｚ、１０ＭＨｚ、１５ＭＨｚ、２０ＭＨｚ）がある。Ｅ−ＵＴＲＡＮからＵＴＲＡＮへのハンドオフのサポートは、ＷＴＲＵの上記ケイパビリティを示す論理値であることが望ましい。
【００２１】
ＯＦＤＭ  ＲＦケイパビリティおよびＯＦＤＭ測定ケイパビリティは、ＷＴＲＵのＯＦＤＭ  ＲＦおよび測定ケイパビリティをＵＴＲＡＮに対して示す。ＯＦＤＭチャネルは、システム構成および所望のビット速度および或る特定のサービスに関連する遅延に依存して、様々な帯域幅を有することができる。例えば、最大許容ビット速度（例えば、１００Ｍｂｐｓ）を実現するために、Ｅ−ＵＴＲＡＮは最大許容帯域幅（例えば、２０ＭＨｚ）を用いて送受信しなければならない。Ｅ−ＵＴＲＡＮはこれらサービスのいくつかの組合せ（異なるＷＴＲＵに対して異なる帯域幅）を実行することができる。したがって、Ｅ−ＵＴＲＡＮへのハンドオフは、ＷＴＲＵのＯＦＤＭ  ＲＦケイパビリティに基づいて引き起こされるべきである。ハンドオフ中にＷＴＲＵが測定を実施するとき、ＷＴＲＵを、測定に対する或る特定のチャネル周波数および指定帯域幅に調整および構成することが望ましい。ＷＴＲＵが測定値をＵＴＲＡＮに報告するとき、ＵＴＲＡＮは、測定値をＥ−ＵＴＲＡＮチャネルの物理属性と相関させる。これにより、所望のビット速度および遅延要件をサポートする正しいターゲットＥ−ＵＴＲＡＮチャネルに対してハンドオフが正確に行われることが保証される。
【００２２】
マルチモード／マルチＲＡＴケイパビリティ情報を、従来のＵＴＲＡＮ  ＷＴＲＵマルチモード／マルチＲＡＴケイパビリティメッセージ、ＷＴＲＵ無線アクセスケイパビリティメッセージ、ＷＴＲＵ無線アクセスケイパビリティ拡張メッセージ、または任意の他の種類のメッセージを介して送信することができる。表２−４は、それぞれ、例示的なＵＴＲＡＮ  ＷＴＲＵマルチモード／マルチＲＡＴケイパビリティメッセージ、ＷＴＲＵ無線アクセスケイパビリティメッセージ、およびＷＴＲＵ無線アクセスケイパビリティ拡張メッセージを示し、本発明における新規のＩＥ（太字で示す）を含む。
【００２３】
【表３】
2012044664.tif 000005
【００２４】
【表４】
2012044664.tif 000006
【００２５】
【表５】
2012044664.tif 000007
【００２６】
図３を再度参照する。ＵＴＲＡＮ３５４は、ＷＴＲＵマルチモード／マルチＲＡＴケイパビリティメッセージを受信する（ステップ３１０）。ＵＴＲＡＮ３５４は次いで測定ケイパビリティメッセージをＷＴＲＵ３５２に送信する（ステップ３１２）。測定ケイパビリティメッセージは測定に必要なパラメータを定義する。Ｅ−ＵＴＲＡＮに対する新規のＩＥを、従来の測定ケイパビリティメッセージと、Ｅ−ＵＴＲＡＮパラメータ（例えば、それぞれの周波数帯に対するＯＦＤＭ測定パラメータ）に対する測定ケイパビリティ拡張メッセージとに含める。測定ケイパビリティメッセージおよび測定ケイパビリティ拡張メッセージにおけるそれぞれのＩＥは、それぞれの周波数帯上で測定を実施することを要求されるのはダウンリンクまたはアップリンク圧縮モードのどちらであるかを示す論理値である。
【００２７】
表５および６はそれぞれ、例示的なＵＴＲＡＮ測定ケイパビリティメッセージおよび測定ケイパビリティ拡張メッセージを示す。本発明に従って導入した新規のＩＥを太字で示す。
【００２８】
【表６】
2012044664.tif 000008
【００２９】
【表７】
2012044664.tif 000009
【００３０】
【表８】
2012044664.tif 000010
【００３１】
【表９】
2012044664.tif 000011
【００３２】
【表１０】
2012044664.tif 000012
【００３３】
【表１１】
2012044664.tif 000013
【００３４】
【表１２】
2012044664.tif 000014
【００３５】
図３を再度参照する。ＷＴＲＵ３５２は測定ケイパビリティメッセージを受信する。ＷＴＲＵ３５２は次いで、測定ケイパビリティメッセージ内で示されるＥ−ＵＴＲＡＮチャネルにおいてＥ−ＵＴＲＡＮ信号３１５上で測定を実施し、測定結果をＵＴＲＡＮ３５４に報告する（ステップ３１４）。ＵＴＲＡＮ３５４はＥ−ＵＴＲＡＮ３５６に対するハンドオフを、測定報告に基づいて開始することができる。
【００３６】
＜＜実施形態＞＞
１．ＷＴＲＵ、ＵＴＲＡＮ、およびＥ−ＵＴＲＡＮを含む無線通信システムにおいてＥ−ＵＴＲＡＮをサポートする方法。
【００３７】
２．ＷＴＲＵが、ＵＴＲＡＮチャネルを監視するステップを備える実施形態１に記載の方法。
【００３８】
３．ＵＴＲＡＮが、そのＵＴＲＡＮのカバレッジエリア内の利用可能ＲＡＴのリストをＵＴＲＡＮのチャネルを介して送信するステップを備え、リストはＥ−ＵＴＲＡＮに関する情報を含むことを特徴とする実施形態２に記載の方法。
【００３９】
４．ＷＴＲＵはリストを受信するステップを備え、それによりＷＴＲＵはリストに基づいてＥ−ＵＴＲＡＮのサービスを受信する実施形態３に記載の方法。
【００４０】
５．リストをＢＣＣＨを介して送信することを特徴とする実施形態３−４の任意に記載の方法。
【００４１】
６．リストをセル情報リストメッセージに含めたことを特徴とする実施形態３−５のいずれか一に記載の方法。
【００４２】
７．リストを個別チャネルを介して送信することを特徴とする実施形態３−４のいずれか一に記載の方法。
【００４３】
８．Ｅ−ＵＴＲＡＮのＲＡＴはＯＦＤＭであることを特徴とする実施形態３−７のいずれか一に記載の方法。
【００４４】
９．Ｅ−ＵＴＲＡＮの情報はＯＦＤＭ選択および再選択情報と、ＢＳＩＣと、システム固有測定情報とのうち少なくとも１つを含むことを特徴とする実施形態３−８のいずれか一に記載の方法。
【００４５】
１０．システム固有測定情報がサポートされる周波数、帯域幅、および送信電力のうち少なくとも１つを列挙することを特徴とする実施形態９に記載の方法。
【００４６】
１１．ＷＴＲＵが前記ＷＴＲＵのマルチモード／マルチＲＡＴケイパビリティをＵＴＲＡＮに送信するステップを備える実施形態１−１０のいずれか一に記載の方法。
【００４７】
１２．ＵＴＲＡＮがＷＴＲＵのマルチモード／マルチＲＡＴケイパビリティを受信するステップを備える実施形態１１に記載の方法。
【００４８】
１３．マルチモード／マルチＲＡＴケイパビリティがＷＴＲＵのＥ−ＵＴＲＡＮケイパビリティを示すことを特徴とする実施形態１１−１２のいずれか一に記載の方法。
【００４９】
１４．Ｅ−ＵＴＲＡＮケイパビリティがＯＦＤＭケイパビリティを含むことを特徴とする実施形態１３に記載の方法。
【００５０】
１５．マルチモード／マルチＲＡＴケイパビリティがＯＦＤＭサポート、ＵＴＲＡＮとＥ−ＵＴＲＡＮとの間のハンドオフのサポートの指示、ＯＦＤＭ無線周波数ケイパビリティ、およびＯＦＤＭ測定ケイパビリティのうち少なくとも１つを含むことを特徴とする実施形態１１−１４のいずれか一に記載の方法。
【００５１】
１６．ＯＦＤＭサポートの指示が、サポートされる周波数と帯域幅とを列挙することを特徴とする実施形態１５に記載の方法。
【００５２】
１７．マルチモード／マルチＲＡＴケイパビリティが、ＷＴＲＵのマルチモード／マルチＲＡＴケイパビリティメッセージ、ＷＴＲＵの無線アクセスケイパビリティメッセージ、およびＷＴＲＵの無線アクセスケイパビリティ拡張メッセージの少なくとも１つを介して送信されることを特徴とする実施形態１１−１６のいずれか一に記載の方法。
【００５３】
１８．マルチモード／マルチＲＡＴケイパビリティがアタッチ手続き中に送信されることを特徴とする実施形態１１−１７のいずれか一に記載の方法。
【００５４】
１９．マルチモード／マルチＲＡＴケイパビリティがＵＴＲＡＮによる要求時に送信されることを特徴とする実施形態１１−１７のいずれか一に記載の方法。
【００５５】
２０．ＵＴＲＡＮが測定ケイパビリティメッセージをＷＴＲＵに送信するステップを備え、測定ケイパビリティメッセージがＥ−ＵＴＲＡＮチャネル上で測定を実施するのに必要なパラメータを含むことを特徴とする実施形態１−１９のいずれか一に記載の方法。
【００５６】
２１．ＷＴＲＵが測定ケイパビリティメッセージに基づいて測定を実施するステップを備える実施形態２０に記載の方法。
【００５７】
２２．ＷＴＲＵが測定結果をＵＴＲＡＮに報告するステップを備える実施形態２１に記載の方法。
【００５８】
２３．ＵＴＲＡＮが測定結果に基づいてＷＴＲＵのＥ−ＵＴＲＡＮへのハンドオフを開始するステップを備える実施形態２２に記載の方法。
【００５９】
２４．測定ケイパビリティメッセージがＯＦＤＭ測定に関するパラメータを含むことを特徴とする実施形態２０−２３のいずれか一に記載の方法。
【００６０】
２５．ＷＴＲＵがリストに基づいてＵＴＲＡＮからＥ−ＵＴＲＡＮへのハンドオフを開始するステップを備える実施形態３−２４のいずれか一に記載の方法。
【００６１】
２６．ハンドオフがＷＴＲＵのユーザにより引き起こされることを特徴とする実施形態２５に記載の方法。
【００６２】
２７．ハンドオフが自動的に引き起こされることを特徴とする実施形態２５に記載の方法。
【００６３】
２８．Ｅ−ＵＴＲＡＮをサポートする無線通信システム。
【００６４】
２９．Ｅ−ＵＴＲＡＮを備える実施形態２８に記載のシステム。
【００６５】
３０．ＵＴＲＡＮのカバレッジエリア内の利用可能なＲＡＴのリストを送信するよう構成したＵＴＲＡＮを備え、リストはＥ−ＵＴＲＡＮに関する情報を含むことを特徴とする実施形態２９に記載のシステム。
【００６６】
３１．リストを受信し、前記リストに基づいてＥ−ＵＴＲＡＮのサービスを受信するよう構成したＷＴＲＵを備える実施形態３０に記載のシステム。
【００６７】
３２．ＵＴＲＡＮがリストをＢＣＣＨを介して送信することを特徴とする実施形態３０−３１のいずれか一に記載のシステム。
【００６８】
３３．ＵＴＲＡＮはセル情報リストメッセージ内のリストを含むことを特徴とする実施形態３０−３２のいずれか一に記載のシステム。
【００６９】
３４．ＵＴＲＡＮはリストを個別チャネルを介して送信することを特徴とする実施形態３０−３１のいずれか一に記載のシステム。
【００７０】
３５．Ｅ−ＵＴＲＡＮのＲＡＴはＯＦＤＭであることを特徴とする実施形態３０−３４のいずれか一に記載のシステム。
【００７１】
３６．Ｅ−ＵＴＲＡＮの情報は、ＯＦＤＭ選択および再選択情報と、ＢＳＩＣと、システム固有測定情報とのうち少なくとも１つを含むことを特徴とする実施形態３０−３５のいずれか一に記載のシステム。
【００７２】
３７．システム固有測定情報はサポートされる周波数、帯域幅、および出力電力のうち少なくとも１つを列挙することを特徴とする実施形態３６に記載のシステム。
【００７３】
３８．ＷＴＲＵを、そのマルチモード／マルチＲＡＴケイパビリティをＵＴＲＡＮに送信するよう構成したことを特徴とする実施形態３１−３７のいずれか一に記載のシステム。
【００７４】
３９．マルチモード／マルチＲＡＴケイパビリティはＥ−ＵＴＲＡＮケイパビリティを含むことを特徴とする実施形態３８に記載のシステム。
【００７５】
４０．Ｅ−ＵＴＲＡＮケイパビリティはＯＦＤＭケイパビリティを含むことを特徴とする実施形態３９に記載のシステム。
【００７６】
４１．マルチモード／マルチＲＡＴケイパビリティはＯＦＤＭサポート、ＵＴＲＡＮとＥ−ＵＴＲＡＮとの間のハンドオフのサポートの指示、ＯＦＤＭ無線周波数ケイパビリティ、およびＯＦＤＭ測定ケイパビリティのうち少なくとも１つを含むことを特徴とする実施形態３８−４０のいずれか一に記載のシステム。
【００７７】
４２．ＯＦＤＭサポートの指示は、サポートされる周波数と帯域幅とを列挙することを特徴とする実施形態４１に記載のシステム。
【００７８】
４３．マルチモード／マルチＲＡＴケイパビリティは、ＷＴＲＵのマルチモード／マルチＲＡＴケイパビリティメッセージ、ＷＴＲＵの無線アクセスケイパビリティメッセージ、およびＷＴＲＵの無線アクセスケイパビリティ拡張メッセージの少なくとも１つを介して送信されることを特徴とする実施形態３８−４２のいずれか一に記載のシステム。
【００７９】
４４．マルチモード／マルチＲＡＴケイパビリティはアタッチ手続き中に送信されることを特徴とする実施形態３８−４３のいずれか一に記載のシステム。
【００８０】
４５．マルチモード／マルチＲＡＴケイパビリティはＵＴＲＡＮによる要求時に送信されることを特徴とする実施形態３８−４３のいずれか一に記載のシステム。
【００８１】
４６．ＵＴＲＡＮは測定ケイパビリティメッセージをＷＴＲＵに送信するよう構成され、測定ケイパビリティメッセージはＥ−ＵＴＲＡＮチャネル上で測定を実施するのに必要なパラメータを含み、ＷＴＲＵを構成して測定ケイパビリティメッセージに基づいて測定を実施し、測定結果をＵＴＲＡＮに報告することを特徴とする実施形態３１−４５のいずれか一に記載のシステム。
【００８２】
４７．前記測定結果に基づいてＥ−ＵＴＲＡＮへのハンドオフを開始するようＵＴＲＡＮを構成したことを特徴とする実施形態４６に記載のシステム。
【００８３】
４８．測定ケイパビリティメッセージはＯＦＤＭ測定に対するパラメータを含むことを特徴とする実施形態４６−４７のいずれか一に記載のシステム。
【００８４】
４９．ＷＴＲＵを構成して、リストに基づいてＵＴＲＡＮからＥ−ＵＴＲＡＮへのハンドオフを開始することを特徴とする実施形態３１−４８のいずれか一に記載のシステム。
【００８５】
５０．前記ハンドオフは前記ＷＴＲＵのユーザにより引き起こされることを特徴とする実施形態４９に記載のシステム。
【００８６】
５１．前記ハンドオフは自動的に引き起こされることを特徴とする実施形態４９に記載のシステム。
【００８７】
本発明の特徴および要素を特定の組合せにおける好適な実施形態で説明したが、それぞれの特徴または要素を、好適な実施形態の他の特徴および要素なしに単体で使用するか、あるいは本発明の他の特徴および要素を有するかまたは有さないかを様々な組合せで使用することができる。
【図１】
2012044664.tif 000015
【図２】
2012044664.tif 000016
【図３】
2012044664.tif 000017